(57)【要約】【課題】メンテナンスを不要とし、メンテナンスにかかる手間とコストを低減させた排気処理システムを提供することを目的とする。【解決手段】屋内２に開口し空中に浮遊する油を捕集するための捕集フード１と、屋外６に開口し清浄空気を排気するための排気口７を有する処理ユニット５と、捕集フード１と処理ユニット５とを接続するダクト４とを備え、処理ユニット５の通風経路８には油分離機構９と排気ファン１１が設けられ、油分離機構９には通風経路８から分岐された導油経路１３ａを介して油を分解する油分解装置１５が取り付けられている。【選択図】図１
2008144975.tif 000002
【特許請求の範囲】
【請求項１】
屋内に開口し空中に浮遊する油を捕集するための捕集フードと、屋外に開口し清浄空気を排気するための排気口を有する処理ユニットと、前記捕集フードと前記処理ユニットとを接続するダクトとを備え、前記処理ユニットには通風経路が設けられ、前記通風経路には油分離機構と排気ファンが設けられ、前記油分離機構には前記通風経路から分岐された油を導く導油経路を介して油を分解する油分解装置が取り付けられた排気処理システム。
【請求項２】
処理ユニットには制御装置を備え、導油経路には開閉手段を設け、前記制御装置により、排気ファンが運転している時は前記開閉手段が開となり捕集した油を油分解装置内部に貯留し、前記排気ファンが停止している時は前記開閉手段が閉となり前記油分解装置を必要時間運転し貯留した油を分解する請求項１記載の排気処理システム。
【請求項３】
油分解装置内部には、触媒を担持した担体を備え、前記担体に付着貯留された油を前記触媒によって反応させ分解を行う請求項２記載の排気処理システム。
【請求項４】
油分解装置内部には、酵素を含浸した担体と給水経路と排水経路とを備え、前記担体に付着貯留された油に前記給水経路から水を供給し、前記酵素によって反応させ油の分解を行い、そののち前記排水経路から水とともに油の分解成分を排水する請求項２記載の排気処理システム。
【請求項５】
担体は、ハニカム状、繊維状、粒状のいずれか、またはこれらを組み合わせた形状である請求項３または４記載の排気処理システム。
【請求項６】
油分解装置には加熱手段と補助送風ファンを設け、担体に付着貯留された油を分解する場合、前記補助送風ファンにより空気中の酸素を油および触媒に供給するとともに、前記加熱手段により油および前記触媒を適正温度まで上昇させ、油を触媒酸化反応によって分解する請求項３記載の排気処理システム。
【請求項７】
触媒は少なくとも白金またはパラジウムのいずれかを含む請求項６記載の排気処理システム。
【請求項８】
加熱手段は電気ヒータである請求項６または７記載の排気処理システム。
【請求項９】
電気ヒータを油分解装置外周に密着して取り付けた請求項８記載の排気処理システム。
【請求項１０】
電気ヒータを油分解装置内部に埋設し、前記電気ヒータ表面に触媒を含む物質をコーティングした請求項８記載の排気処理システム。
【請求項１１】
制御装置により、排気ファンが運転している積算時間から演算された油分解必要時間にもとづいて油分解装置を必要時間のみ運転する請求項６〜１０のいずれかに記載の排気処理システム。
【請求項１２】
制御装置により、排気ファンが運転している積算時間から演算された油分解必要時間が所定時間未満の時には油分解運転を行わず、油分解必要時間を次回演算時に持ち越し加算して再演算する請求項１１記載の排気処理システム。
【請求項１３】
油分離機構として、通風経路内に設けた風の抵抗となるバッフル板と、前記バッフル板の下方に設けた油溜り部とを備え、前記油溜り部は導油経路に接続された請求項１〜１２のいずれかに記載の排気処理システム。
【請求項１４】
排気ファンは、羽根車とケーシングとモータからなり、前記羽根車に付着した油を遠心力で前記ケーシング内面に付着させ、前記ケーシング内面の最下端に位置し導油経路に接続された油溜り部に油を集めることにより、前記排気ファンを油分離機構と兼用した請求項１〜１２のいずれかに記載の排気処理システム。
【請求項１５】
処理ユニットの通風経路の上流側に油分離機構としての風の抵抗となるバッフル板を、前記通風経路の下流側に羽根車に付着した油を遠心力でケーシング内面に付着させることにより油分離機構と兼用した排気ファンをそれぞれ設け、前記バッフル板の下方に設けた油溜り部と前記ケーシング内面の最下端に設けた油溜り部とを導油経路を介して油分解装置に連通させた請求項１〜１２のいずれかに記載の排気処理システム。
【請求項１６】
ダクトは、捕集フードから処理ユニットに向かって下り勾配に設置された請求項１〜１５のいずれかに記載の排気処理システム。
【請求項１７】
処理ユニットの通風経路内のダクト接続部近傍に風路遮断器を、前記通風経路内の前記風路遮断器より下流に温度検知器をそれぞれ設け、制御装置によって、前記温度検知器が前記通風経路内の異常温度上昇を検知した時に、前記風路遮断器が前記通風経路から前記ダクトへ至る空気の流通を遮断する請求項１〜１６のいずれかに記載の排気処理システム。
【請求項１８】
処理ユニットの排気口近傍に脱臭手段を設けた請求項１〜１７のいずれかに記載の排気処理システム。
【発明の詳細な説明】
【技術分野】
【０００１】
本発明は、例えば家庭の台所や業務用厨房などの空間に浮遊する油を排気し浄化する排気処理システムに関する。
【背景技術】
【０００２】
近年、家庭の台所や業務用厨房などの換気システムには、室内空気を清浄化する機能のみならず、屋外環境保全の観点から、汚染空気を浄化して排気するという機能が求められている。これを解決するために、排気経路にフィルターなどを設けた排気処理システムが開発されてきた。
【０００３】
従来、この種の排気処理システムは、フードとダクトとファンとフィルタとから構成されたものが知られている（例えば、特許文献１参照）。
【０００４】
以下、そのシステムについて、図６を参照しながら説明する。図６において、１０１は、厨房１０２内の調理台１０３上方に設置されたフードで、ダクト１０４を介してファン１０５に接続されている。１０６は、ファン１０５の吐出側に設けられたフィルタで、フィルタ１０６の下流は屋外に開口した排気口１０７に接続されている。
【０００５】
厨房１０２内の調理台１０３で発生し空気中に浮遊する油（油煙、油粒など）は、フード１０１で捕集され、ファン１０５によってダクト１０４から排気口１０７を通って屋外に排気される。この時、ファン１０５と排気口１０７の間にはフィルタ１０６があり、油を含んだ空気がこのフィルタ１０６を通過する際に、油分をフィルタに吸着させて浄化された空気を屋外に排気するものである。
【特許文献１】特開２００１−２１８８２３号公報（第９頁、図１）
【発明の開示】
【発明が解決しようとする課題】
【０００６】
このような従来の排気処理システムでは、経年変化とともにフィルタ１０６が油分で目詰まりをおこし、排気が十分行えないようになるため、フィルタ１０６を定期的に交換する必要があり、メンテナンスのために手間がかかり、また、交換するフィルタ１０６の費用も必要でコストがかかるという課題があった。
【０００７】
本発明は、このような従来の課題を解決するものであり、メンテナンスを不要とし、メンテナンスにかかる手間とコストを低減させた排気処理システムを提供することを目的としている。
【課題を解決するための手段】
【０００８】
本発明のシステムは、上記目的を達成するために、屋内に開口し空中に浮遊する油を捕集するための捕集フードと、屋外に開口し清浄空気を排気するための排気口を有する処理ユニットと、捕集フードと処理ユニットとを接続するダクトとを備え、処理ユニットの通風経路には油分離機構と排気ファンが設けられ、油分離機構には通風経路から分岐された導油経路を介して油を分解する油分解装置が取り付けられたものである。
【０００９】
この手段により、捕集した油を分解することができ、フィルター交換などのようなメンテナンスを不要とし、メンテナンスにかかる手間とコストを低減させることができる。
【００１０】
また、他の手段は、処理ユニットには制御装置を備え、導油経路には開閉手段を設け、制御装置により、排気ファンが運転している時は開閉手段が開となり捕集した油を油分解装置内部に貯留し、排気ファンが停止している時は開閉手段が閉となり油分解装置を必要時間運転し貯留した油を分解するものである。
【００１１】
これにより、油の分解を確実に行うことができ、また、運転中のピーク消費電力を低減させることができる。
【００１２】
また、他の手段は、油分解装置内部には、触媒を担持した担体を備え、担体に付着貯留された油を触媒によって反応させ分解を行うものである。
【００１３】
これにより、油の分解を短時間で効率よく行うことができる。
【００１４】
また、他の手段は、油分解装置内部には、酵素を含浸した担体と給水経路と排水経路とを備え、担体に付着貯留された油に給水経路から水を供給し、酵素によって反応させ油の分解を行い、そののち排水経路から水とともに油の分解成分を排水するものである。
【００１５】
これにより、油の分解を熱などのエネルギーを使わず行うことができる。
【００１６】
また、他の手段は、担体が、ハニカム状、繊維状、粒状のいずれか、またはこれらを組み合わせた形状のものである。
【００１７】
これにより、油を貯留するための担体の容積を小さくし、装置をコンパクトにすることができる。
【００１８】
また、他の手段は、油分解装置には加熱手段と補助送風ファンを設け、担体に付着貯留された油を分解する場合、補助送風ファンにより空気中の酸素を油および触媒に供給するとともに、加熱手段により油および触媒を適正温度まで上昇させ、油を触媒酸化反応によって分解するものである。
【００１９】
これにより、油の分解をさらに短時間で効率よく行うことができる。
【００２０】
また、他の手段は、触媒は少なくとも白金またはパラジウムのいずれかを含むものである。
【００２１】
これにより、油を比較的低温で酸化分解し、加熱エネルギーを低減させることができる。
【００２２】
また、他の手段は、加熱手段として電気ヒータを備えたものである。
【００２３】
これにより、加熱手段を安価に製作することができる。
【００２４】
また、他の手段は、電気ヒータを油分解装置外周に密着して取り付けたものである。
【００２５】
これにより、油分解装置を安価に製作することができる。
【００２６】
また、他の手段は、電気ヒータを油分解装置内部に埋設し、電気ヒータ表面に触媒を含む物質をコーティングしたものである。
【００２７】
これにより、加熱効率を高め、加熱エネルギーを低減させるとともに、触媒反応を効率よく行い、油分解を短時間で行うことができる。
【００２８】
また、他の手段は、制御装置により、排気ファンが運転している積算時間から演算された油分解必要時間にもとづいて油分解装置を必要時間のみ運転するものである。
【００２９】
これにより、不要な加熱を防止し、エネルギーを低減させることができる。
【００３０】
また、他の手段は、制御装置により、排気ファンが運転している積算時間から演算された油分解必要時間が所定時間未満の時には油分解運転を行わず、油分解必要時間を次回演算時に持ち越し加算して再演算するものである。
【００３１】
これにより、加熱回数を極力少なくし、加熱立ち上り時のヒータのエネルギーロスを低減させることができる。
【００３２】
また、他の手段は、油分離機構として、通風経路内に設けた風の抵抗となるバッフル板と、バッフル板の下方に設けた油溜り部とを備え、油溜り部は導油経路に接続されたものである。
【００３３】
これにより、油分離機構を安価に製作することができる。
【００３４】
また、他の手段は、排気ファンが、羽根車とケーシングとモータからなり、羽根車に付着した油を遠心力でケーシング内面に付着させ、ケーシング内面の最下端に位置し導油経路に接続された油溜り部に油を集めることにより、排気ファンを油分離機構と兼用したものである。
【００３５】
これにより、粒径の小さな油も捕集し、油捕集効率を高めることができる。
【００３６】
また、他の手段は、処理ユニットの通風経路の上流側に油分離機構としての風の抵抗となるバッフル板を、通風経路の下流側に羽根車に付着した油を遠心力でケーシング内面に付着させることにより油分離機構と兼用した排気ファンをそれぞれ設け、バッフル板の下方に設けた油溜り部とケーシング内面の最下端に設けた油溜り部とを導油経路を介して油分解装置に連通させたものである。
【００３７】
これにより、油捕集効率をさらに高めることができる。
【００３８】
また、他の手段は、ダクトが、捕集フードから処理ユニットに向かって下り勾配に設置されたものである。
【００３９】
これにより、油がダクト内に滞留付着することを防止し、悪臭の発生を未然に防ぐことができる。
【００４０】
また、他の手段は、処理ユニットの通風経路内のダクト接続部近傍に風路遮断器を、通風経路内の風路遮断器より下流に温度検知器をそれぞれ設け、制御装置によって、温度検知器が通風経路内の異常温度上昇を検知した時に、風路遮断器が通風経路からダクトへ至る空気の流通を遮断するものである。
【００４１】
これにより、万一の温度異常の時も、屋内へ高温空気が逆流することを防止し、安全性を確保することができる。
【００４２】
また、他の手段は、処理ユニットの排気口近傍に脱臭手段を設けたものである。
【００４３】
これにより、脱臭手段が油によって目詰まりすることなく、メンテナンス不要で屋外への悪臭の放出を防止することができる。
【発明の効果】
【００４４】
本発明によれば、メンテナンスを不要とし、メンテナンスにかかる手間とコストを低減させた排気処理システムを提供することができる。
【００４５】
また、油の分解を短時間で効率よく行い、エネルギーを低減させるという効果を奏する。
【００４６】
また、油収集効率を高める、装置をコンパクトにする、装置を安価に製作できる、悪臭を未然に防ぐ、安全性を確保できる、などの効果も奏するものである。
【発明を実施するための最良の形態】
【００４７】
本発明の請求項１記載の発明は、屋内に開口し空中に浮遊する油を捕集するための捕集フードと、屋外に開口し清浄空気を排気するための排気口を有する処理ユニットと、捕集フードと処理ユニットとを接続するダクトとを備え、処理ユニットの通風経路には油分離機構と排気ファンが設けられ、油分離機構には通風経路から分岐された導油経路を介して油を分解する油分解装置が取り付けられたため、捕集した油を分解することができ、フィルター交換などのようなメンテナンスを不要とし、メンテナンスにかかる手間とコストを低減させるという作用を有する。
【００４８】
本発明の請求項２記載の発明は、処理ユニットには制御装置を備え、導油経路には開閉手段を設け、制御装置により、排気ファンが運転している時は開閉手段が開となり捕集した油を油分解装置内部に貯留し、排気ファンが停止している時は開閉手段が閉となり油分解装置を必要時間運転し貯留した油を分解するため、油の分解を確実に行うことができ、また、運転中のピーク消費電力を低減させるという作用を有する。
【００４９】
本発明の請求項３記載の発明は、油分解装置内部には、触媒を担持した担体を備え、担体に付着貯留された油を触媒によって反応させ分解を行うため、油の分解を短時間で効率よく行うという作用を有する。
【００５０】
本発明の請求項４記載の発明は、油分解装置内部には、酵素を含浸した担体と給水経路と排水経路とを備え、担体に付着貯留された油に給水経路から水を供給し、酵素によって反応させ油の分解を行い、そののち排水経路から水とともに油の分解成分を排水するため、油の分解を熱などのエネルギーを使わず行うという作用を有する。
【００５１】
本発明の請求項５記載の発明は、担体が、ハニカム状、繊維状、粒状のいずれか、またはこれらを組み合わせた形状のものであるため、油を貯留するための担体の容積を小さくし、装置をコンパクトにできるという作用を有する。
【００５２】
本発明の請求項６記載の発明は、油分解装置には加熱手段と補助送風ファンを設け、担体に付着貯留された油を分解する場合、補助送風ファンにより空気中の酸素を油および触媒に供給するとともに、加熱手段により油および触媒を適正温度まで上昇させ、油を触媒酸化反応によって分解するため、油の分解をさらに短時間で効率よく行うという作用を有する。
【００５３】
本発明の請求項７記載の発明は、触媒は少なくとも白金またはパラジウムのいずれかを含むため、油を比較的低温で酸化分解し、加熱エネルギーを低減させるという作用を有する。
【００５４】
本発明の請求項８記載の発明は、加熱手段として電気ヒータを備えたため、加熱手段を安価に製作できるという作用を有する。
【００５５】
本発明の請求項９記載の発明は、電気ヒータを油分解装置外周に密着して取り付けたため、油分解装置を安価に製作できるという作用を有する。
【００５６】
本発明の請求項１０記載の発明は、電気ヒータを油分解装置内部に埋設し、電気ヒータ表面に触媒を含む物質をコーティングしたため、加熱効率を高め、加熱エネルギーを低減させるとともに、触媒反応を効率よく行い、油分解を短時間で行うという作用を有する。
【００５７】
本発明の請求項１１記載の発明は、制御装置により、排気ファンが運転している積算時間から演算された油分解必要時間にもとづいて油分解装置を必要時間のみ運転するため、不要な加熱を防止し、エネルギーを低減させるという作用を有する。
【００５８】
本発明の請求項１２記載の発明は、制御装置により、排気ファンが運転している積算時間から演算された油分解必要時間が所定時間未満の時には油分解運転を行わず、油分解必要時間を次回演算時に持ち越し加算して再演算するため、加熱回数を極力少なくし、加熱立ち上り時のヒータのエネルギーロスを低減させるという作用を有する。
【００５９】
本発明の請求項１３記載の発明は、油分離機構として、通風経路内に設けた風の抵抗となるバッフル板と、バッフル板の下方に設けた油溜り部とを備え、油溜り部は導油経路に接続されたため、油分離機構を安価に製作できるという作用を有する。
【００６０】
本発明の請求項１４記載の発明は、排気ファンが、羽根車とケーシングとモータからなり、羽根車に付着した油を遠心力でケーシング内面に付着させ、ケーシング内面の最下端に位置し導油経路に接続された油溜り部に油を集めることにより、排気ファンを油分離機構と兼用したため、粒径の小さな油も捕集し、油捕集効率を高めるという作用を有する。
【００６１】
本発明の請求項１５記載の発明は、処理ユニットの通風経路の上流側に油分離機構としての風の抵抗となるバッフル板を、通風経路の下流側に羽根車に付着した油を遠心力でケーシング内面に付着させることにより油分離機構と兼用した排気ファンをそれぞれ設け、バッフル板の下方に設けた油溜り部とケーシング内面の最下端に設けた油溜り部とを導油経路を介して油分解装置に連通させたため、油捕集効率をさらに高めるという作用を有する。
【００６２】
本発明の請求項１６記載の発明は、ダクトが、捕集フードから処理ユニットに向かって下り勾配に設置されたため、油がダクト内に滞留付着することを防止し、悪臭の発生を未然に防ぐという作用を有する。
【００６３】
本発明の請求項１７記載の発明は、処理ユニットの通風経路内のダクト接続部近傍に風路遮断器を、通風経路内の風路遮断器より下流に温度検知器をそれぞれ設け、制御装置によって、温度検知器が通風経路内の異常温度上昇を検知した時に、風路遮断器が通風経路からダクトへ至る空気の流通を遮断するため、万一の温度異常の時も、屋内へ高温空気が逆流することを防止し、安全性を確保するという作用を有する。
【００６４】
本発明の請求項１８記載の発明は、処理ユニットの排気口近傍に脱臭手段を設けたため、脱臭手段が油によって目詰まりすることなく、メンテナンス不要で屋外への悪臭の放出を防止するという作用を有する。
【００６５】
以下、本発明の実施の形態について、図１〜図５を参照しながら説明する。
【００６６】
（実施の形態１）
図１は本発明の実施の形態１における排気処理システムの構成断面図、図２は本発明の実施の形態１における排気ファンの拡大縦断面図である。
【００６７】
図１において、１は、屋内２に置かれた調理台２ａ上方に開口し空中に浮遊する油を捕集するための捕集フードで、壁面３を貫通したダクト４の一端が接続されている。５は、屋外６の壁面３に取り付けられダクト４の他端が接続された処理ユニットで、屋外６に開口し清浄空気を排気するための排気口７を有しており、排気口７近傍には脱臭手段７ａとしての活性炭７ｂが備えられている。処理ユニット５の通風経路８には、ダクト４に近い上流側に油分離機構９としての風の抵抗となるバッフル板１０が、排気口７に近い下流側に油分離機構と兼用した排気ファン１１が設けられている。油分離機構９としてのバッフル板１０下方には油溜り部１２ａが設けられ、通風経路８から分岐された導油経路１３ａと開閉手段（一例として電磁弁）１４ａを介して油分解装置１５に連通されている。また、油分離機構と兼用した排気ファン１１下方にも油溜り部１２ｂが設けられ、同様に通風経路８から分岐された導油経路１３ｂと開閉手段１４ｂ（一例として電磁弁）を介して油分解装置１５に連通されている。
【００６８】
油分解装置１５の外周には加熱手段１７としての電気ヒータ１８が密着して取り付けられている。この方式は、加熱手段１７および油分解装置１５をシンプルな構成とし、コストを安価にするものである。油分解装置１５の内部には、少なくとも白金またはパラジウムのいずれか（図示せず）を含んだ触媒１９を担持した、ハニカム状、繊維状、粒状のいずれか（図示せず）、またはこれらを組み合わせた形状の担体２０が備えられている。担体２０の形状は、担体２０の単位容積当りの油貯留量を多くする、言い換えれば油の必要量を貯留するための担体２０の容積を小さくし装置をコンパクトにするという目的で、ハニカム状、繊維状、粒状のいずれか、またはこれらを組み合わせたものとしているが、他の形状であってもよい。また、触媒１９の材質は、油を比較的低温（２００〜３００℃程度）で酸化分解し加熱エネルギーを低減させるという目的で、少なくとも白金またはパラジウムのいずれかを含むとしているが、他の触媒であってもよい。油分解装置１５の上部には補助送風ファン２１が取り付けられ、油分解装置１５の下部には風の出口の小孔として排出口２２が設けられている。２３は、処理ユニット５の通風経路８内のダクト接続部近傍４ａに設けられた風路遮断器で、通風経路８内の風路遮断器２３より下流には温度検知器２４が設けられている。２５は、排気ファン１１、開閉手段１４ａ、１４ｂ、電気ヒータ１８、補助送風ファン２１、風路遮断器２３などを制御するための制御装置である。
【００６９】
つぎに、本実施の形態１における動作を説明する。調理台２ａで調理を行った際に発生する油は、油煙や油粒などとして調理台２ａ上方の空気中に浮遊する。スイッチ動作やタイマー（図示せず）などにより排気ファン１１が運転を開始し、調理台２ａ上方の油を含んだ空気は捕集フード１で捕集され、ダクト４〜処理ユニット５の通風経路８〜排気ファン１１〜排気口７の順に送られ、屋外６に排出される。ダクト４は、捕集フード１から処理ユニット５に向かって下り勾配に設置されているため、油がダクト４内面に付着したとしても、重力により処理ユニット５側に回収され、ダクト内に油が滞留付着することによる悪臭の発生を未然に防ぐことができる。処理ユニット５内において油を含んだ空気は、まず、通風経路８内の風の抵抗となっている油分離機構９としてのバッフル板１０に衝突する。この際、粒状の油の大半はバッフル板１０表面に液体状に付着し、下方に設けられた油溜り部１２ａに凝集され、導油経路１３ａから油分解装置１５に送られる。この時の開閉手段１４ａは「開」となっている。なお、このバッフル板１０による方式は、油分離機構９を比較的安価に製作することができる。
【００７０】
つぎに、バッフル板１０を通り抜けた空気は、通風経路８から排気ファン１１に送られる。ここで、排気ファン１１のＡ矢視拡大縦断面図を図２に示す。排気ファン１１は、羽根車１１ａ、ケーシング１１ｂ、モータ１１ｃからなり、ケーシング１１ｂ内面の最下端に油溜り部１２ｂを有し、油溜り部１２ｂは導油経路１３ｂに接続されている。排気ファン１１に送られた空気には、わずかながらバッフル板１０で除去できなかった微小の油粒を含んでおり、この油粒を含んだ空気がモータ１１ｃによって回転している羽根車１１ａを通る際に、羽根車１１ａに付着した油粒を遠心力でケーシング１１ｂ内面に付着させ、付着した油は重力によってケーシング１１ｂ内面の最下端に位置した油溜り部１２ｂに凝集され、導油経路１３ｂから油分解装置１５に送られる。この時も開閉手段１４ｂは「開」となっている。油を分離する機構を２段設けたのは、油捕集効率をさらに高めるようにしたもので、本実施の形態１においては、油捕集効率９０％以上を確保できるものである。また、上流側にバッフル板１０を、下流側に油分離機構と兼用した排気ファン１１を配置したのは、上流側で粒径の大きい油粒を大量に捕集し、下流側で粒径の小さい油粒を捕集するようにしたもので、排気ファン１１の遠心力による油の分離機構は、特に粒径の小さい油粒の分離に効果を発揮するものである。
【００７１】
排気ファン１１から排出された空気は、排気口７から屋外６に排出される。この排出空気には油分がほとんど含まれておらず、しかも排気口７近傍に備えられた脱臭手段７ａとしての活性炭７ｂによって排出空気の悪臭も除去することができるため、屋外６の周囲環境を汚染することなく、良好な排気処理を行うことができるものである。なお、一般的に活性炭７ｂなどで脱臭を行う場合は、ハニカム形状のような微細経路に風を通すことになるが、本実施の形態１のように、油分を除去することによって、活性炭７ｂのハニカムが油によって目詰まりすることなく、メンテナンス不要で屋外への悪臭の放出を防止することができるものである。
【００７２】
一方、油分解装置１５に流れ込んだ油は、排気ファン１１の運転中は担体２０に付着貯留されるが、排気ファン１１の運転が停止したのちは、制御装置２５によって以下の油分解運転を自動的に行う。まず、開閉手段１４ａ、１４ｂを「閉」とし、油分解装置１５の外周に密着して取り付けられた電気ヒータ１８に通電し担体２０を加熱するとともに、補助送風ファン２１を運転し担体２０に空気を供給する。担体２０を加熱することにより、担体２０に担持された触媒１９と担体２０に付着貯留された油の温度が上昇し、適正温度としての触媒１９の活性温度に達した時に供給された空気中の酸素と油とが触媒酸化反応を起こし、油成分は分解され二酸化炭素と水蒸気となり排出口２２から屋外６へ排出される。この触媒１９を用いた分解方式は、油の分解を短時間で効率よく行うことができ、本実施の形態１では、一般家庭の台所などで使用された場合、１日の油発生量を３０分程度で分解することが可能となる。なお、油の分解時に開閉手段１４ａ、１４ｂを「閉」とするのは、加熱エネルギーが通風経路８へ放出されることを防止し加熱エネルギーを低減させるためと、油分解装置１５の万一の異常過熱時にも通風経路８に温度的影響を及ぼさず安全性を高めるもので、これらの作用により油の分解をより確実に行うことができる。また、排気ファン１１停止後に油の分解動作を行うことにより、排気ファン１１と電気ヒータ１８および補助送風ファン２１とが同時に通電しないため、運転中のピーク消費電力を低減させることができる。さらに、処理ユニット５の通風経路８内が何らかの理由で異常温度（例えば５００℃以上）になった時は、温度検知器２４によって異常温度上昇を検知し、風路遮断器２３が作動し通風経路８からダクト４へ至る空気の流通を遮断するもので、通風経路８内の万一の温度異常時にも、屋内へ高温空気が逆流することを防止し、安全性を確保することができるものである。
【００７３】
このように、本実施の形態１によれば、捕集した油を自動的に分解することによって、フィルタ交換などのようなメンテナンスを不要とし、メンテナンスにかかる手間とコストを低減させることができるものである。
【００７４】
（実施の形態２）
図３は、本発明の実施の形態２における油分解装置の拡大縦断面図である。図３において、図１と同じ構成要素については同じ符号を用い、説明を省略する。
【００７５】
図３において、１８は、油分解装置１５内部に埋設された電気ヒータで、複数の伝熱フィン１８ａを有し、伝熱フィン１８ａを含めたヒータ表面には、触媒を含む物質がコーティングされている。油分解装置１５内部には、実施の形態１同様、触媒１９を担持した担体２０が、電気ヒータ１８の上下に配設されている。この方式は、担体２０の近傍に電気ヒータ１８があり、しかも電気ヒータ１８自体の表面にも触媒がコーティングされているため、加熱効率が高く、同じ油量の分解反応であっても必要な加熱エネルギーを低減させることができ、また、触媒反応が効率よく行われるため、油を短時間に分解することができるものである。
【００７６】
なお、本実施の形態２において、電気ヒータ１８の表面のみで油を全て分解できる場合には、上下に配設した担体２０がなくても良い。
【００７７】
（実施の形態３）
図４は、本発明の実施の形態３における排気処理システムの動作フロー図である。図１および図４にもとづいて、本実施の形態３における動作を説明する。
【００７８】
実施の形態３では、排気ファン１１が運転を停止している時に行う油分解装置１５の運転時間を、制御装置２５によって以下のように制御している。すなわち、排気ファン１１が運転していた積算時間から、油分解装置１５内に貯留された油量を推定し、その推定油量の油を分解するのに必要な時間を予め記憶していたデータテーブルから選択し、その必要時間のみ油分解装置１５を運転させたのち、自動的に停止させるもので、不要な加熱を防止し、エネルギーを低減させることができる。
【００７９】
さらに、本実施の形態３では、制御装置２５によって以下の制御も行う。すなわち、排気ファン１１が運転していた積算時間から演算された油分解必要時間が所定時間未満の時には油分解運転を行わず、油分解必要時間を次回演算時に持ち越し加算して再演算するものである。この動作を図４の動作フロー図で説明する。スイッチ動作やタイマーなどにより排気ファン１１の運転を開始したのち（Ｓ１）、再びスイッチ動作やタイマーなどにより排気ファン１１を停止させる（Ｓ２）。この間の排気ファン１１の運転積算時間から油分解必要時間Ｔｎを演算する（Ｓ３）。つぎに、前回記憶され持ち越された時間ｔがあれば（Ｓ４）、Ｔｎにｔを加算し再度油分解必要時間Ｔｎを演算する（Ｓ５）。時間ｔがなければＳ５の演算は行わない。つぎに、油分解必要時間Ｔｎが所定時間、一例として２０分未満の場合は（Ｓ６）、Ｔｎ＝ｔとして記憶し次回演算に持ち越す（Ｓ７）。一例として２０分以上の場合は、油分解運転を開始するものである（Ｓ８）。この制御は、油分解運転時の電気ヒータ１８による加熱回数を減らし、油がある程度溜った段階で油分解運転を開始させるもので、加熱立ち上り時の電気ヒータ１８のエネルギーロスを低減させ、省エネルギー化を図ることができるものである。なお、これらの演算は制御装置２５内のマイクロコンピュータ（図示せず）を使って行うものである。
【００８０】
（実施の形態４）
図５は、本発明の実施の形態４における排気処理システムの構成断面図である。図５において、図１と同じ構成要素については同じ符号を用い、説明を省略する。
【００８１】
図５において、油分解装置１５内部には、酵素１６を含浸した担体２０が備えられ、油分解装置１５の上部には給水経路３１と給水弁３１ａが、油分解装置１５の下部には排水経路３２と排水弁３２ａが、それぞれ設けられている。
【００８２】
つぎに、本実施の形態４における動作を説明する。排気ファン１１運転時は、実施の形態１と同様に担体２０に油が付着貯留される。排気ファン１１停止後は、油分解運転として、制御装置２５により、まず、給水弁３１ａを「開」にし給水経路３１から水を油分解装置１５内に供給し、所定の水が溜ったのちに給水弁３１ａを「閉」とする。この時、担体２０は水に漬され、担体２０に含浸された酵素１６の反応によって油の分解を行い、そののち、排水弁３２ａを「開」にし排水経路３２から水とともに油の分解成分を排水する。この方式は、油の分解に時間はかかるものの、熱などのエネルギーを使わずに油分解を行うことができるため、省エネルギー化を図ることができるものである。
【産業上の利用可能性】
【００８３】
本発明の排気処理システムは、家庭の台所や業務用厨房などの空間に浮遊する油を排気し浄化する用途として有用である。また、工場などで浮遊するオイルミストを浄化する用途にも適用できる。
【図面の簡単な説明】
【００８４】
【図１】本発明の実施の形態１の排気処理システムを示す構成断面図
【図２】本発明の実施の形態１の排気ファンを示す拡大縦断面図
【図３】本発明の実施の形態２の油分解装置を示す拡大縦断面図
【図４】本発明の実施の形態３の排気処理システムの動作フロー図
【図５】本発明の実施の形態４の排気処理システムを示す構成断面図
【図６】従来の排気処理システムを示す構成断面図
【符号の説明】
【００８５】
１      捕集フード
２      屋内
４      ダクト
４ａ    ダクト接続部近傍
５      処理ユニット
６      屋外
７      排気口
７ａ    脱臭手段
８      通風経路
９      油分離機構
１０    バッフル板
１１    排気ファン
１１ａ  羽根車
１１ｂ  ケーシング
１１ｃ  モータ
１２ａ、１２ｂ  油溜り部
１３ａ、１３ｂ  導油経路
１４ａ、１４ｂ  開閉手段
１５    油分解装置
１６    酵素
１７    加熱手段
１８    電気ヒータ
１９    触媒
２０    担体
２１    補助送風ファン
２３    風路遮断器
２４    温度検知器
２５    制御装置
３１    給水経路
３２    排水経路
【図１】
2008144975.tif 000003
【図２】
2008144975.tif 000004
【図３】
2008144975.tif 000005
【図４】
2008144975.tif 000006
【図５】
2008144975.tif 000007
【図６】
2008144975.tif 000008